(57)【特許請求の範囲】
【請求項１】
上枠、下枠および左右の縦枠を枠組みして構成される窓枠と、前記窓枠内に配置される外障子と、前記窓枠内に上下スライド可能に配置される内障子とを備え、
前記内障子は、上框、下框、左右の縦框および面材を框組みして構成され、
窓閉鎖状態で前記下枠と当接する前記下框の両端側には、前記縦枠に沿って摺動可能な樹脂製の摺動部材が取り付けられ、
前記下枠は、窓閉鎖状態で前記摺動部材を収容可能な溝部と、前記溝部よりも室外側に位置する枠見込み片部とを有し、
前記下框には、前記下框および前記溝部の室外側を覆う框カバー材が取り付けられ、
前記框カバー材と前記下框および前記溝部との間には第１加熱膨張材が配置され、
前記枠見込み片部の窓開口側の面には、前記框カバー材よりも室外側に第２加熱膨張材が配置され、
前記枠見込み片部には、係合部材が取り付けられ、
前記係合部材には、前記框カバー材よりも室外側で前記第２加熱膨張材を覆う枠カバー材が係合している、
ことを特徴とする上げ下げ窓。
【請求項２】
請求項１に記載の上げ下げ窓において、
前記框カバー材は、前記下框への取付状態で、前記下框の室外面に対向する第１カバー片部と、前記溝部の室外面に対向する第２カバー片部とを有し、
前記第１加熱膨張材は、前記第１カバー片部に設置される加熱膨張材と、前記第２カバー片部に設置される加熱膨張材とによって構成され、
前記第１カバー片部は前記第２カバー片部よりも室内側に位置する
ことを特徴とする上げ下げ窓。
【請求項３】
請求項１または請求項２に記載の上げ下げ窓において、
前記枠カバー材の前記枠見込み片部側の面には加熱膨張材が設置される
ことを特徴とする上げ下げ窓。
【請求項４】
請求項１から請求項３のいずれか一項に記載の上げ下げ窓において、
前記下框は、框ホロー部を備え、
前記框ホロー部には、第３加熱膨張材が配置され、
前記溝部には、第４加熱膨張材が配置される
ことを特徴とする上げ下げ窓。
【請求項５】
請求項１から請求項４のいずれか一項に記載の上げ下げ窓において、
前記下枠は、前記枠見込み片部の下方に枠ホロー部を備え、
前記枠ホロー部に第５加熱膨張材が配置される
ことを特徴とする上げ下げ窓。
【発明の詳細な説明】
【技術分野】
【０００１】
本発明は、窓枠内に配置される外障子および内障子を備える上げ下げ窓に関する。
【背景技術】
【０００２】
従来、サッシ枠と、サッシ枠内の室外側上方に固定された外障子と、サッシ枠内の室内側下方に上下移動自在に配置された内障子とを備えた上げ下げ窓が知られている（特許文献１参照）。
サッシ枠は、上枠、下枠および左右の竪枠を枠組みして構成され、内障子を任意位置に維持可能に吊設するバランサを備えている。外障子および内障子は、上框、下框および左右の竪框を枠組みし、各框の区画内にガラスパネルを装着して構成されている。
下枠には、内障子の下框と下枠との隙間を室外側から塞ぐ下枠遮蔽材が固定されており、下框の屋外面に対向する位置と下枠の上面に対向する位置とに熱膨張耐火材がそれぞれ設けられている。下枠遮蔽材は、内障子の下框の下部を覆っており、当該下框よりも室外側に位置する下枠の傾斜面部に固定されている。
【先行技術文献】
【特許文献】
【０００３】
【特許文献１】特開２０１４−２２１９８６号公報
【発明の概要】
【発明が解決しようとする課題】
【０００４】
ところで、上下移動自在な内障子には、左右の竪枠に沿って案内されて上下方向に摺動する樹脂製（ポリアセタール等）の摺動部材が設けられる。この摺動部材は、内障子の上側両端部と下側両端部とのそれぞれに設けられ、バランサに連結されている。
【０００５】
窓閉鎖状態では、内障子の下框は下枠に装着されたタイト材などに当接するだけであるため、このタイト材などが火災時に焼失すると当該下框と下枠との間に隙間が生じてしまい、この隙間に火炎が入り込むと、内障子の下側両端部に設けられた樹脂製の摺動部材が火炎に晒されて発火するおそれがある。
特許文献１に記載の上げ下げ窓では、内障子の下框と下枠との隙間の室外側に下枠遮蔽材が配置され、この下枠遮蔽材に熱膨張耐火材が設けられているため、火災時に熱膨張耐火材が膨張することで内障子の下框と下枠との隙間を塞ぐことができる。
【０００６】
しかし、下枠遮蔽材は、内障子の下框の下部を覆っているが上部を覆っていないため、火災時に下框の上部が火炎に晒されて熱せられ、この熱が下框の上部から摺動部材まで熱伝導することで、摺動部材が発火するおそれがある。
【０００７】
また、前述した樹脂製の摺動部材に代え、金属不燃材料（ステンレス、アルミ、亜鉛の鋳物等）と樹脂材料（ポリアセタール等）とを組み合わせて摺動部材を構成し、発火しやすい樹脂材料を減らすことで摺動部材の発火を抑制できる。しかし、このような摺動部材は高価であり、部品コストの抑制が困難となる。
【０００８】
本発明の目的は、遮炎性を向上できるとともに部品コストを抑制できる上げ下げ窓を提供することにある。
【課題を解決するための手段】
【０００９】
本発明の上げ下げ窓は、上枠、下枠および左右の縦枠を枠組みして構成される窓枠と、前記窓枠内に配置される外障子と、前記窓枠内に上下スライド可能に配置される内障子とを備え、前記内障子は、上框、下框、左右の縦框および面材を框組みして構成され、窓閉鎖状態で前記下枠と当接する前記下框の両端側には、前記縦枠に沿って摺動可能な樹脂製の摺動部材が取り付けられ、前記下枠は、窓閉鎖状態で前記摺動部材を収容可能な溝部と、前記溝部よりも室外側に位置する枠見込み片部とを有し、前記下框には、前記下框および前記溝部の室外側を覆う框カバー材が取り付けられ、前記框カバー材と前記下框および前記溝部との間には第１加熱膨張材が配置され、前記枠見込み片部の窓開口側の面には、前記框カバー材よりも室外側に第２加熱膨張材が配置され、前記枠見込み片部には、係合部材が取り付けられ、前記係合部材には、前記框カバー材よりも室外側で前記第２加熱膨張材を覆う枠カバー材が係合している、ことを特徴とする。
【００１０】
本発明の上げ下げ窓によれば、下框および溝部の室外側を覆う框カバー材を備え、框カバー材と下框および溝部との間に第１加熱膨張材が配置されるため、火災時における第１加熱膨張材の膨張によって框カバー材と下框間および框カバー材と溝部間を埋めることができ、室外側から摺動部材への熱伝導を遮断できる。
さらに、框カバー材が下框に取り付けられ、枠見込み片部の窓開口側の面には、框カバー材よりも室外側に第２加熱膨張材が配置されるため、火災時において第２加熱膨張材が框カバー材の取付け部分などに妨げられることなく膨張し、この膨張によって框カバー材の室外側を効率的に覆うことができ、室外側から摺動部材への熱伝導をより確実に遮断できる。
また、火災時における第２加熱膨張材の膨張によって枠カバー材と係合部材との係合を解除でき、当該枠カバー材を速やかに脱落させることができる。このため、第２加熱膨張材の膨張が枠カバー材によって妨げられることがない。
加えて、第１加熱膨張材が框カバー材と下框間および框カバー材と溝部間に配置されるため、框カバー材によって第１加熱膨張材を室外側から保護でき、かつ、框カバー材が下框および溝部の室外側を覆うため、第１加熱膨張材、下框および溝部を室外側から目隠しできる。また、枠カバー材によって第２加熱膨張材を覆うことで、第２加熱膨張材を室外側から保護できるとともに目隠しできる。
さらに、摺動部材を金属等の不燃材料を利用して構成する必要がなく、従前から使用されているポリアセタール等の樹脂製の摺動部材を採用でき、摺動部材の部品コストを抑制できる。
【００１１】
本発明の上げ下げ窓では、前記框カバー材は、前記下框への取付状態で、前記下框の室外面に対向する第１カバー片部と、前記溝部の室外面に対向する第２カバー片部とを有し、前記第１加熱膨張材は、前記第１カバー片部に設置される加熱膨張材と、前記第２カバー片部に設置される加熱膨張材とによって構成され、前記第１カバー片部は前記第２カバー片部よりも室内側に位置することが好ましい。
このような構成によれば、框カバー材の下框への取付状態で、第１カバー片部が第２カバー片部よりも室内側に位置するため、第１カバー片部および第１加熱膨張材を下框に対して隙間なく配置することが容易となる。これにより、火災時に第１加熱膨張材が膨張温度に達していない場合に、第１カバー片部および第１加熱膨張材と下框との隙間に火炎などが入り込むことがなく、この隙間へ火炎が入り込むことで下框が温度上昇することを抑制することができる。
【００１２】
本発明の上げ下げ窓では、前記枠カバー材の前記枠見込み片部側の面には、加熱膨張材が設置されることが好ましい。
このような構成によれば、枠カバー材の加熱膨張材が、枠カバー材の枠見込み片部側の面に設置されるため、火災時に加熱膨張材が膨張することで枠カバー材と係合部材との係合を解除でき、枠カバー材を下枠から確実に脱落できる。
【００１３】
本発明の上げ下げ窓では、前記下框は、框ホロー部を備え、前記框ホロー部には、第３加熱膨張材が配置され、前記溝部には、第４加熱膨張材が配置されることが好ましい。
このような構成によれば、第３加熱膨張材が框ホロー部に配置され、かつ、第４加熱膨張材が溝部に配置されるため、火災時において、第３加熱膨張材が膨張することで框ホロー部を埋めることができるとともに、第４加熱膨張材が膨張することで溝部を埋めることができる。これにより、前述した室外側の第１，２加熱膨張材による熱遮断のほか、前述した框ホロー部および溝部における輻射熱を第３，４加熱膨張材によって遮断でき、樹脂製の摺動部材の発火をより確実に抑制できる。
【００１４】
本発明の上げ下げ窓では、前記下枠は、前記枠見込み片部の下方に枠ホロー部を備え、前記枠ホロー部に第５加熱膨張材が配置されることが好ましい。
このような構成によれば、第５加熱膨張材が枠見込み片部の下方の枠ホロー部に配置されるため、火災時に第５加熱膨張材が膨張することで枠ホロー部を埋めることができる。これにより、枠ホロー部における輻射熱を第５加熱膨張材によって遮断できる。また、例えば、室外空間と枠ホロー部とを連通する排水口がある場合、この排水口から枠ホロー部に火炎などが入り込むことを防止でき、枠見込み片部などが熱せられて摺動部材に熱伝達されることを抑制できる。このように樹脂製の摺動部材の発火をより確実に抑制できる。
【発明の効果】
【００１５】
本発明によれば、遮炎性を向上できるとともに部品コストを抑制できる上げ下げ窓を提供できる。
【図面の簡単な説明】
【００１６】
【図１】本実施形態に係る上げ下げ窓を示す斜視図。
【図２】前記実施形態に係る上げ下げ窓の縦断面図。
【図３】図２に示すＩＩＩ−ＩＩＩ線に沿った横断面図。
【図４】図２に示すＩＶ−ＩＶ線に沿った横断面図。
【図５】前記実施形態に係る上げ下げ窓の要部を示す縦断面図。
【図６】前記実施形態に係る上げ下げ窓の要部の加熱膨張材の膨張時を示す縦断面図。
【発明を実施するための形態】
【００１７】
［本実施形態の構成］
以下、本発明の実施形態を図面に基づいて説明する。
図１〜４において、本実施形態に係る上げ下げ窓１は、戸建て住宅等の建物の外壁開口部に設けられて建物の室内空間と室外空間とを仕切る片上げ下げ窓であって、上枠１１、下枠１２および左右の縦枠１３を枠組みした窓枠１０と、この窓枠１０の内側に支持された外障子２０および内障子３０とを備えて構成されている。窓枠１０に形成される窓開口５において、外障子２０は室外側上方に配置され、内障子３０は室内側下方に配置されている。
【００１８】
窓枠１０の上枠１１、下枠１２および左右の縦枠１３は、室外側に位置するアルミ製の押出し形材１４と室内側に位置する樹脂製材料１５とが組み合わされた複合体によって形成されている。
外障子２０は、上框２１、下框２２（外召合せ框）、左右の縦框２３および複層のガラスパネル２４（面材）を框組みして構成されている。上框２１および左右の縦框２３は、室外側に位置するアルミ製の押出し形材２５と室内側に位置する樹脂製材料２６とが組み合わされた複合体によって形成されており、下框２２は、アルミ製の押出し形材２５Ａによって形成されている。
内障子３０は、上框３１（内召合せ框）、下框３２、左右の縦框３３および複層のガラスパネル３４を框組みして構成されている。上框３１、下框３２および左右の縦框３３は、室外側に位置するアルミ製の押出し形材３５と室内側に位置する樹脂製材料３６とが組み合わされた複合体によって形成されている。内障子３０は、上框３１の両端に設けられた樹脂製の上部摺動片３８と、内障子３０の下端部（下框３２の両端側）に連結された樹脂製の下部摺動片３９（摺動部材）とが、縦枠１３の室内側見付け片１３２および中間部見付け片１３３間に案内されることで上下方向に摺動可能に構成されている。また、上部摺動片３８は、内障子３０を任意位置に維持するバランサに吊設されている。
【００１９】
窓枠１０、外障子２０および内障子３０に使用される樹脂製材料１５，２６，３６は、ポリ塩化ビニル樹脂（ＰＶＣ）によって構成されている。なお、ＰＶＣは、火炎から離されていれば消化する自己消火性に優れるため、これ自体が火炎に直接さらされない限り、発火可能性は低い。
また、上部摺動片３８および下部摺動片３９は、ポリアセタール樹脂によって構成されている。ポリアセタール樹脂（ＰＯＭ）は、摺動性能に優れる反面、酸化指数が高くて発火しやすい（４００℃程度で発火可能性あり）。
【００２０】
外障子２０は、窓枠１０の上枠１１および縦枠１３に位置決めされて固定された固定障子であり、内障子３０よりも室外側に設けられている。
内障子３０は、窓枠１０の縦枠１３に案内され、外障子２０の室内側に沿って上下スライド開閉可能に支持された可動障子である。
これらの外障子２０の下框２２（外召合せ框）と内障子３０の上框３１（内合せ框）とが見込み方向に重なると、上げ下げ窓１が閉じられるようになっている。
内障子３０の上框３１の略中央部にはクレセント錠３７が設けられ、外障子２０の下框２２には錠受け２７が設けられており、外障子２０および内障子３０を閉じた窓閉鎖状態でクレセント錠３７を錠受け２７に係合させることで、上げ下げ窓１が施錠されるようになっている。
【００２１】
窓枠１０の縦枠１３は、見込み方向に延びる見込み片部１３１と、見込み片部１３１の室内側、中間部および室外側からそれぞれ見付け方向内側に延びる室内側見付け片１３２、中間部見付け片１３３、室外側見付け片１３４および網戸係合用見付け片１３５とを有して形成されている。
室内側見付け片１３２は、樹脂製材料１５によって形成され、見込み片部１３１、室外側見付け片１３４および網戸係合用見付け片１３５はアルミ製の押出し形材１４の一部、中間部見付け片１３３がアルミ製の押出し形材１４と樹脂製材料１５との組み合わせとして形成されている。
なお、網戸係合用見付け片１３５には網戸４０が係合している。図１，５，６では、説明の便宜上、網戸４０の図示を省略している。
【００２２】
窓枠１０の下枠１２は、図５に示すように、溝形成部１２１と、枠見込み片部１２２と、垂下片部１２３，１２４と、仕切り片部１２５と、底片部１２６とを有している。枠見込み片部１２２、垂下片部１２３，１２４および仕切り片部１２５は、枠ホロー部１２７を形成している。
【００２３】
溝形成部１２１は、上方に立ち上げられた一対の延出片部１２１Ａ，１２１Ｂと、延出片部１２１Ａ，１２１Ｂの下端に連続した底片部１２１Ｃとによって形成されている。延出片部１２１Ａは、延出片部１２１Ｂよりも室外側に位置している。延出片部１２１Ａの先端（上端窓閉鎖状態で下框３２の室外部分に当接する気密材１２１Ｄが装着されている。延出片部１２１Ｂには、窓閉鎖状態で下框３２の室内部分に当接する突部１２１Ｅが形成されている。延出片部１２１Ａ，１２１Ｂおよび底片部１２１Ｃによって下部摺動片３９を収容可能な溝部１２０が形成されている。
【００２４】
枠見込み片部１２２は、延出片部１２１Ａの下部から室外側に延出して形成され、溝部１２０よりも室外側に位置している。垂下片部１２３は、枠見込み片部１２２の室外側寄りの位置から垂下して形成され、垂下片部１２４は、底片部１２１Ｃから垂下して形成されている。垂下片部１２３，１２４の先端（下端）には、底片部１２６が連続して形成され、枠見込み片部１２２と底片部１２６との中間位置には、仕切り片部１２５が垂下片部１２３，１２４に連続して形成されている。なお、垂下片部１２３には排水口が形成されている（図示省略）。
【００２５】
延出片部１２１Ａ、底片部１２１Ｃ、枠見込み片部１２２、垂下片部１２３，１２４、仕切り片部１２５および底片部１２６は、アルミ製の押出し形材１４によって形成されており、延出片部１２１Ｂは、アルミ製の押出し形材１４の一部と樹脂製材料１５とが組み合わされて形成されている。
【００２６】
外障子２０は、縦枠１３の中間部見付け片１３３および室外側見付け片１３４間に設けられる固定部材５０によって、下辺両端部である下框２２の端部および縦框２３の下端部が支持されるとともに、上辺両端部である上框２１の端部および縦框２３の上端部に取り付けた位置決め部材５１が上枠１１によって位置決めされることで窓枠１０に固定されている。
下框２２内には、ガラスパネル２４の荷重を間接的に支持する断面略柄杓形状の框補強材５２が設けられている。框補強材５２は、スチール等の金属製で不燃性を有し、下框２２の長手方向に沿って連続した長尺状に形成されている。
【００２７】
内障子３０の下框３２は、図５に示すように、室外見付け片部３２１と、室内見付け片部３２２と、下框見込み片部３２３と、仕切り片部３２４と、係合片部３２５とを備えて構成されている。室外見付け片部３２１、下框見込み片部３２３、仕切り片部３２４および係合片部３２５は、框ホロー部３２６を形成している。
【００２８】
室外見付け片部３２１の上片部は、ガラスパネル３４の室外面に対向して位置している。室外見付け片部３２１の下片部は、室外側に延出し、その先端が下方に垂下して形成されている。室外側見付け片部の前述した上片部および下片部間の中間片部は、当該上片部に対して段部３２１Ａを介して若干室内側に形成されている。
下框見込み片部３２３および仕切り片部３２４は、室外見付け片部３２１の中間片部に連続して形成されている。
仕切り片部３２４は、下框見込み片部３２３よりも上方に位置している。
係合片部３２５は、下框見込み片部３２３および仕切り片部３２４の室内縁部に連続して形成されている。係合片部３２５の上下縁には係合部が形成されている。
室内見付け片部３２２は、係合片部３２５に係合した被係合部を有して形成されている。室内見付け片部３２２の上片部は、ガラスパネル３４の室内面に対向して位置している。
【００２９】
室外見付け片部３２１、下框見込み片部３２３、仕切り片部３２４および係合片部３２５はアルミ製の押出し形材３５によって形成されており、室内見付け片部３２２は樹脂製材料３６によって形成されている。
【００３０】
窓閉鎖状態では、下框３２は下枠１２の溝形成部１２１と当接し、室外見付け片部３２１の下部は、延出片部１２１Ａの気密材１２１Ｄに当接し、室内見付け片部３２２は延出片部１２１Ｂの突部１２１Ｅに当接する。この際、下部摺動片３９は、溝部１２０に収容された状態となる。
【００３１】
＜熱遮断構造＞
ここで、上げ下げ窓１は、火災時に下部摺動片３９を室内外から熱遮断するための熱遮断構造６０として、框カバー材６１と、枠カバー材６２と、樹脂アタッチメント６３（係合部材）と、框補強材６４と、枠補強材６５と、熱遮断用の各加熱膨張材７１，７２，７３，７４，７５，７６，７７，７８，７９と、枠カバー材脱落補助用の加熱膨張材８０とを備えている。
【００３２】
框カバー材６１は、アルミ製であって室外見付け片部３２１および延出片部１２１Ａに沿って延びている。框カバー材６１は、室外見付け片部３２１に対向して位置する第１カバー片部６１１と、窓閉鎖状態で延出片部１２１Ａに対向して位置する第２カバー片部６１２と、第１カバー片部６１１および第２カバー片部６１２を連結する連結片部６１３とを有している。第１カバー片部６１１の長手方向の両端部は、室外見付け片部３２１にビス６によってビス止めされている。第１カバー片部６１１の上縁には、室内側に突出した突出部が形成されている。この突出部は、段部３２１Ａに当接している。第２カバー片部６１２の下縁の室内側には、凹部が形成されている。
【００３３】
第１カバー片部６１１の室内面および第２カバー片部６１２の室内面には、加熱膨張材７１，７２（第１加熱膨張材）が設置されている。加熱膨張材７１の室内面は、室外見付け片部３２１の室外面に当接しており、その上縁は第１カバー片部６１１の前述した突出部に当接している。加熱膨張材７２の室内面は、延出片部１２１Ａに対して隙間を隔てて対向している。加熱膨張材７２の下縁は、第２カバー片部６１２の凹部に嵌め込まれている。
【００３４】
加熱膨張材７３（第２加熱膨張材）は、第２カバー片部６１２よりも室外側に設置されている。本実施形態では、加熱膨張材７３は、延出片部１２１Ａから室外側にわたって枠見込み片部１２２の窓開口５側の面に設置されている。加熱膨張材７３の室外縁は第２カバー片部６１２よりも室外側に位置している。
枠カバー材６２は、アルミ製であって枠見込み片部１２２に沿って延びており、第２カバー片部６１２よりも室外側において加熱膨張材７３を覆って配置されている。
枠カバー材６２は、加熱膨張材７３を覆う本体片部６２１と、本体片部６２１から枠見込み片部１２２側に延出した一対の延出片部６２２，６２３とを有している。延出片部６２２，６２３には、樹脂アタッチメント６３に係合可能な突部が形成されている。延出片部６２２，６２３の先端は、加熱膨張材７３に当接している。本体片部６２１の枠見込み片部１２２側の面のうち延出片部６２２，６２３間に位置する部分には、枠カバー材６２の脱落補助用の加熱膨張材８０が設置されている。
樹脂アタッチメント６３は、加熱膨張材７３の膨張温度と同じ軟化温度か、または当該膨張温度よりも低い軟化温度を有して断面略コ字形状で単尺状に形成され、ビス７によって枠見込み片部１２２にビス止めされている。この樹脂アタッチメント６３は、延出片部６２２，６２３の突部に係合している。
【００３５】
框ホロー部３２６には、断面コ字形状の框補強材６４が挿入配置されており、框補強材６４には、加熱膨張材７４（第３加熱膨張材）が設置されている。加熱膨張材７４は、室外見付け片部３２１の中間片部に沿って配置されている。
溝形成部１２１には、加熱膨張材７５，７６，７７（第４加熱膨張材）が設置されている。具体的には、延出片部１２１Ａの溝部１２０を形成する面に加熱膨張材７５が設置され、底片部１２１Ｃの溝部１２０を形成する面に加熱膨張材７６が設置され、延出片部１２１Ｂの溝部１２０を形成する面に加熱膨張材７７が設置されている。
枠ホロー部１２７には、断面Ｌ字形状の枠補強材６５が挿入配置されており、枠補強材６５には、加熱膨張材７８，７９（第５加熱膨張材）が設置されている。加熱膨張材７８は、垂下片部１２３に沿って配置され、加熱膨張材７９は、仕切り片部１２５に沿って配置されている。
【００３６】
なお、上枠１１、縦枠１３、上框２１，３１、下框２２，３２および縦框２３，３３にも、熱遮断用の加熱膨張材９１や断面略コ字形状の補強材９２が適宜設けられている。
【００３７】
［本実施形態の作用］
以下、本実施形態に係る上げ下げ窓１の作用について説明する。例えば、室外側において火災が発生した場合は次の通りである。
室外側での火災時、上げ下げ窓１は、室外側から輻射熱を受けて次第に温度上昇する。
各加熱膨張材７１〜８０，９１は、膨張温度（１５０℃程度）に達すると図６に示すように膨張する。なお、図６に示す断面位置は、框カバー材６１の両端部間の略中央位置である。
【００３８】
加熱膨張材７１，７２の膨張によって框カバー材６１と室外見付け片部３２１および延出片部１２１Ａ間が埋められる。この際、框カバー材６１は室外側から熱せられてビス６に対し若干の緩みが生じ、撓み変形しやすい状態となる。このため、框カバー材６１は、膨張する加熱膨張材７１，７２によって室外側に膨らむように撓み変形する。これにより、膨張した加熱膨張材７１，７２の肉厚は増加する。
【００３９】
樹脂アタッチメント６３は、各加熱膨張材７１〜８０，９１の膨張温度またはこれにより低い所定の軟化温度に達すると軟化を生じ、樹脂アタッチメント６３と枠カバー材６２との係合を解除しやすい状態となる。この状態で加熱膨張材８０が下方に向かって膨張して樹脂アタッチメント６３に圧接することで、枠カバー材６２に枠見込み片部１２２側から離間する方向の力を加える。この力により、枠カバー材６２は、樹脂アタッチメント６３との係合が解除されて枠見込み片部１２２から脱落される。
【００４０】
加熱膨張材７３は、加熱膨張材８０とほぼ同タイミングで上方に向かって膨張し、枠カバー材６２の脱落を補助しつつ框カバー材６１の室外側を覆う。なお、樹脂アタッチメント６３は軟化しているため、加熱膨張材７３の膨張によってビス７から容易に外れ、枠見込み片部１２２から脱落する。
このように加熱膨張材７１，７２，７３が膨張することで下部摺動片３９の室外側は熱遮断される。
【００４１】
また、加熱膨張材７４の膨張によって框ホロー部３２６が埋められ、加熱膨張材７５〜７７の膨張によって溝部１２０が埋められる。これにより、下部摺動片３９の上方、下方および室内側は熱遮断される。
さらに、加熱膨張材７８，７９の膨張によって枠ホロー部１２７が埋められる。これにより、例えば垂下片部１２３の排水口（図示省略）から火炎などが枠ホロー部１２７に入り込むことを防止する。
【００４２】
なお、各加熱膨張材９１の膨張によって上枠１１、縦枠１３、上框２１，３１、下框２２，３２および縦框２３，３３における各所定箇所を熱遮断する。
【００４３】
［本実施形態の効果］
（１）下框３２および溝形成部１２１の室外側を覆う框カバー材６１を備え、框カバー材６１と下框３２および溝形成部１２１との間に加熱膨張材７１，７２が配置されるため、火災時における加熱膨張材７１，７２の膨張によって框カバー材６１と下框３２および溝形成部１２１との間を埋めることができ、室外側から下部摺動片３９への熱伝導を遮断できる。
さらに、框カバー材６１が下框３２に取り付けられ、枠見込み片部１２２の窓開口５側の面には、框カバー材６１よりも室外側に加熱膨張材７３が配置されるため、火災時において加熱膨張材７３が框カバー材６１の取付け部分などに妨げられることなく膨張し、この膨張によって框カバー材６１の室外側を効率的に覆うことができ、室外側から下部摺動片３９への熱伝導をより効果的に遮断できる。
また、框カバー材６１よりも室外側に位置する枠カバー材６２が樹脂アタッチメント６３を介して枠見込み片部１２２に取り付けられるため、火災時に加熱膨張材７３が膨張温度に達するまでには樹脂アタッチメント６３が軟化することで枠カバー材６２が外れやすい状態となり、加熱膨張材７３の膨張によって速やかに脱落させることができる。このため、加熱膨張材７３の膨張が枠カバー材６２によって妨げられることがない。
加えて、加熱膨張材７１，７２が框カバー材６１と下框３２および溝形成部１２１との間に配置されるため、框カバー材６１によって加熱膨張材７１，７２を室外側から保護でき、かつ、框カバー材６１が下框３２および溝形成部１２１の室外側を覆うため、加熱膨張材７１，７２、下框３２および溝形成部１２１を室外側から目隠しできる。また、枠カバー材６２によって加熱膨張材７３を覆うことで、加熱膨張材７３を室外側から保護できるとともに目隠しできる。
さらに、下部摺動片３９を金属等の不燃材料で構成する必要がなく、従前から使用されているポリアセタール等の樹脂製の摺動部材を下部摺動片３９として採用でき、下部摺動片３９の部品コストを抑制できる。
（２）框カバー材６１の下框３２への取付状態で、第１カバー片部６１１が第２カバー片部６１２よりも室内側に位置するため、第１カバー片部６１１および加熱膨張材７１を下框３２に対して隙間なく配置することが容易となる。これにより、火災時に加熱膨張材７１が膨張温度に達していない場合に、第１カバー片部６１１および加熱膨張材７１と下框３２との隙間に火炎などが入り込むことがなく、この隙間へ火炎が入り込むことで下框３２が温度上昇することを抑制することができる。
（３）加熱膨張材７３が、第２カバー片部６１２よりも室外側から延出片部１２１Ａにわたって枠見込み片部１２２に設置されているため、枠見込み片部１２２の室外側での露呈面を少なくでき、断熱性を向上できる。また、加熱膨張材７３の室内縁を延出片部１２１Ａに当接することで当該加熱膨張材７３の位置決めを容易に行うことができ、所定位置に簡単に設置できる。
（４）枠カバー材６２の脱落補助用の加熱膨張材８０が、枠カバー材６２の枠見込み片部１２２側の面に設置されるため、火災時に加熱膨張材８０が膨張することで枠カバー材６２と樹脂アタッチメント６３との係合を解除でき、枠カバー材６２を下枠１２から確実に脱落できる。
（５）加熱膨張材７４が框ホロー部３２６に配置され、かつ、加熱膨張材７５〜７７が溝部１２０に配置されるため、火災時において、加熱膨張材７４が膨張することで框ホロー部３２６を埋めることができるとともに、加熱膨張材７５〜７７が膨張することで溝部１２０を埋めることができる。これにより、框ホロー部３２６および溝部１２０における輻射熱を加熱膨張材７４〜７７によって遮断でき、下部摺動片３９の発火をより確実に抑制できる。
（６）框補強材６４に加熱膨張材７４が設置されるため、框補強材６４の框ホロー部３２６への挿入によって、下框３２の補強および加熱膨張材７４の設置を簡単に行うことができる。
（７）加熱膨張材７８，７９が枠見込み片部１２２の下方の枠ホロー部１２７に配置されるため、火災時に加熱膨張材７８，７９が膨張することで枠ホロー部１２７を埋めることができる。これにより、枠ホロー部１２７における輻射熱を加熱膨張材７８，７９によって遮断できる。また、室外空間と枠ホロー部１２７とを連通する排水口（図示省略）から枠ホロー部１２７に火炎などが入り込むことを防止でき、枠見込み片部１２２などが熱せられて下部摺動片３９に熱伝達されることを抑制できる。このように下部摺動片３９の発火をより確実に抑制できる。
（８）枠補強材６５に加熱膨張材７８，７９が設置されるため、枠補強材６５の枠ホロー部１２７への挿入によって、下枠１２の補強および加熱膨張材７８，７９の設置を簡単に行うことができる。
【００４４】
［変形例］
本発明は、以上の実施形態で説明した構成のものに限定されず、本発明の目的を達成できる範囲での変形例は、本発明に含まれる。
例えば、前記実施形態では、框ホロー部３２６、溝部１２０、枠ホロー部１２７に加熱膨張材７１〜７９がそれぞれ設けられているが、これらの一部または全部の構成を省略してもよい。
【００４５】
前記実施形態では、第１カバー片部６１１は第２カバー片部６１２よりも室内側に位置しているが、これに限定されず、第２カバー片部６１２と鉛直線上に並んで位置していてもよく、また、第２カバー片部６１２よりも室外側に位置していてもよい。
【００４６】
前記実施形態では、框カバー材６１の両端部がビス止めされているが、当該両端部間でのビス止め箇所を増設してもよい。
【００４７】
前記実施形態では、枠カバー材６２に脱落補助用の加熱膨張材８０が設けられているが、この構成を省略してもよい。この場合、枠カバー材６２は、主に加熱膨張材７３の膨張によって樹脂アタッチメント６３との係合が解除され、下枠１２から脱落する。
【００４８】
前記実施形態では、框ホロー部３２６、枠ホロー部１２７には、框補強材６４、枠補強材６５がそれぞれ挿入されているが、この構成を省略してもよい。この場合、加熱膨張材７４は框ホロー部３２６に配置されて下框３２に直接設置され、加熱膨張材７８，７９は枠ホロー部１２７に配置されて当該枠ホロー部１２７を形成する垂下片部１２３、仕切り片部１２５などに直接設置される。
【００４９】
前記実施形態では、上げ下げ窓１は、外障子２０を固定障子とし、内障子３０を可動障子とした片上げ下げ窓として構成されているが、これに限定されず、外障子２０および内障子３０の双方を可動障子とした両上げ下げ窓として構成されてもよい。
【符号の説明】
【００５０】
１…上げ下げ窓、１０…窓枠、１１…上枠、１２…下枠、１２０…溝部、１２１…溝形成部、１２１Ａ，１２１Ｂ，６２２，６２３…延出片部、１２１Ｃ，１２６…底片部、１２１Ｄ…気密材、１２１Ｅ…突部、１２２…枠見込み片部、１２３，１２４…垂下片部、１２５，３２４…仕切り片部、１２７…枠ホロー部、１３…縦枠、１３１…見込み片部、１３２…室内側見付け片、１３３…中間部見付け片、１３４…室外側見付け片、１３５…網戸係合用見付け片、１４，２５，２５Ａ，３５…押出し形材、１５，２６，３６…樹脂製材料、２０…外障子、２１，３１…上框、２２，３２…下框、２３，３３…縦框、２４，３４…ガラスパネル、２７…錠受け、３０…内障子、３２１…室外見付け片部、３２１Ａ…段部、３２２…室内見付け片部、３２３…下框見込み片部、３２５…係合片部、３２６…框ホロー部、３７…クレセント錠、３８…上部摺動片、３９…下部摺動片、４０…網戸、５…窓開口、５０…固定部材、５１…位置決め部材、５２…框補強材、６，７…ビス、６０…熱遮断構造、６１…框カバー材、６１１…第１カバー片部、６１２…第２カバー片部、６１３…連結片部、６２…枠カバー材、６２１…本体片部、６３…樹脂アタッチメント（係合部材）、６４…框補強材、６５…枠補強材、７１〜８０，９１…加熱膨張材、９２…補強材。
【図１】
0006379028.tif 000002
【図２】
0006379028.tif 000003
【図３】
0006379028.tif 000004
【図４】
0006379028.tif 000005
【図５】
0006379028.tif 000006
【図６】
0006379028.tif 000007